(57)【要約】      （修正有）【課題】特に売ろうを考えている商品に対するプロモーション効果を強める商品陳列棚装置を提供する。【解決手段】複数段の棚構成部８の最上段の天板３０上にプロモーション用空間９を設けて、購買意欲を誘起させるようなプロモーション用部材を配設する。商品需要者に、複数の棚構成部８の商品とは異なる意匠的印象を与えることができるので、プロモーション効果が向上する。【選択図】図３
0003209823.tif 000002
【実用新案登録請求の範囲】
【請求項１】
複数段の棚構成部の商品陳列ケースに商品を配設することにより、当該商品を見た顧客の購買意欲を誘起させるようなプロモーション効果を生起させるようにした商品陳列棚装置において、
上記棚構成部の最上段の天板上にプロモーション用空間を形成し、当該プロモーション用空間に上記プロモーション効果を強めるプロモーション用部材を配設する
ことを特徴とする商品陳列棚装置。
【請求項２】
上記各段の棚構成部の上記商品陳列ケースの後側位置に、ストック商品を配設するための商品ストック在庫置場を形成し、上記商品陳列ケースは前面透明板及び後面ミラー板で構成されていることにより、上記商品ストック在庫置場に配設されているストック商品が上記棚構成部の前面側から陳列商品の一部として見えるようにした
ことを特徴とする請求項１に記載の商品陳列棚装置。
【請求項３】
上記各段の棚構成部の上記商品ストック在庫置場の上記ストック商品は、在庫点数を把握し易い形態で配設されている
ことを特徴とする請求項２に記載の商品陳列棚装置。
【請求項４】
上記各段の棚構成部の上記商品ストック在庫置場の上記ストック商品は、上記商品陳列棚装置が前傾するのを防止する部材として作用する
ことを特徴とする請求項２に記載の商品陳列棚装置。
【請求項５】
上記各段の棚構成部は、それぞれ、上記商品陳列棚装置前面側から前方に引き出すことができる
ことを特徴とする請求項１に記載の商品陳列棚装置。
【考案の詳細な説明】
【技術分野】
【０００１】
本考案は商品陳列棚装置に関し、特に商品の販売促進効率を高めるようにしたものである。
【背景技術】
【０００２】
例えばフレグランス商品（すなわち香水などの芳香化粧品）は、商店の店頭に設置された商品陳列棚装置において、商品の外観を需要者に提示すると共に、需要者は商品を一つずつ品定めができるように必要に応じて複数の陳列棚に商品を並べて見せる構成のものが提案されている（特許文献１〜３参照）。
【先行技術文献】
【特許文献】
【０００３】
【特許文献１】実用新案登録第３１３３０７４号公報
【特許文献２】実用新案登録第３１４１３１３号公報
【特許文献３】特開２０１１−１７７４５５号公報
【考案の概要】
【考案が解決しようとする課題】
【０００４】
ところで、この種の商品陳列棚装置はその目的から考えると、販売店内において需要者が展示商品を注目し易いような位置に設置されるものであるから、並べられている各商品を、できるだけコンパクト（あまりスペースを取らずに）で、商品一つずつが美しく配列されていると感じさせながら、明確に見分けることができるように、展示できる構成をもっていることが、商品展示販売効果上、実効性が大きい。
【０００５】
本考案は以上の点を考慮してなされたもので、できるだけ商品の販売促進効果を向上させることができるようにした商品陳列棚装置を提案しようとするものである。
【課題を解決するための手段】
【０００６】
かかる課題を解決するため本考案においては、複数段の棚構成部８の商品陳列ケース２８に商品を配設することにより、当該商品を見た商品需要者の購買意欲を誘起させるようなプロモーション効果を生起させるようにした商品陳列棚装置１において、棚構成部８の最上段の天板３０上にプロモーション用空間９を形成し、当該プロモーション用空間９にプロモーション効果を強めるプロモーション用部材を配設するようにする。
【考案の効果】
【０００７】
本考案によれば、複数段の棚構成部の最上段の天板上にプロモーション用空間を設けて、プロモーション用部材を配設できるようにしたことにより、商品需要者に、複数の棚構成部の商品構成とは異なる意匠的印象を与えることができるので、現在特に売ろうと考えている商品に対するプロモーション効果を強める商品陳列棚装置を実現できる。
【図面の簡単な説明】
【０００８】
【図１】図１は本考案の一実施例の商品陳列棚装置の正面構造を示す正面図である。
【図２】図１の商品陳列棚装置の左側面構造を示す側面図である。
【図３】商品陳列棚装置の右側面断面を示す断面図である。
【図４】棚構成部のスライド棚構成の詳細を示す部分的拡大側面図である。
【図５】図４のスライド棚構成の引き出し動作態様の説明に供する部分的拡大側面図である。
【考案を実施するための形態】
【０００９】
以下図面について、本考案の一実施の形態を詳述する。
【００１０】
図１は、全体として商品陳列棚装置１を正面から見た構成を示すもので、図２に示すように、前後方向に薄い長方形状を有し、その基部３の四隅に設けられた４つの支持具４によって床面５上に移動自在に設置される。
【００１１】
基部３は、図３に示すように支持具４が取り付けられた重量が比較的大きいアングルによって四角枠状に構成された支持部材６を有し、当該支持部材６の左右後端部から上方に２本のスリットパイプ７Ｌ及び７Ｒが突出され、当該２本のスリットパイプ７Ｌ及び７Ｒ間に３段の棚構成部８が設けられていると共に、その最上端部にプロモーション用空間９が設けられている。
【００１２】
この実施の形態の場合、スリットパイプ７Ｌ及び７Ｒの最上端部はアングル状の結合具１０によって結合され、これにより支持部材６と、スリットパイプ７Ｌ及び７Ｒと、結合具１０とによって商品陳列棚装置１の骨組み本体１１が形成されている。
【００１３】
３段の棚構成部８の下段には、商品の展示を配設しない箱状の巾木部材１２が設けられ、かくして商品陳列棚装置１の骨組み本体１１の重量的バランスの安定性を確保するようになされている。
【００１４】
第１段目、第２段目及び第３段目の棚構成部８は、図４に示すように左及び右部に立設されたスリットパイプ７Ｌ及び７Ｒ間に供架された供架部材１５によって分割されることにより、供架部材１５上に配設された商品を商品陳列棚装置１の表面側から目視確認できるようになされている。
【００１５】
供架部材１５は、各段ごとに、左及び右スリットパイプ７Ｌ及び７Ｒから、ほぼ平行に、前方に突出する一対の支持板２４Ｌ及び２４Ｒ上に、前後方向にスライド動作するスライド機構２１を有する。
【００１６】
スライド機構２１は、図４に示すように、スリットパイプ７Ｌ及び７Ｒに上下方向に穿設された複数例えば３つのスリット２２に根元に設けられた突起２３を嵌め込むことにより、スリットパイプ７Ｌ及び７Ｒから前方に突出するように固着された支持板２４Ｌ及び２４Ｒ上に設けられている。
【００１７】
スライド機構２１はベアリング機構を間に挟んだ凸形状の内側スライド板２５及び凹形状の外側スライド板２６を上下方向に嵌め合せた構成を有し、外側スライド板２６を支持板２４Ｌ及び２４Ｒに固着させるのに対して、左及び右側のスライド機構２１の内側スライド板２５上に載るように設けられた商品設置板２７を介して内側スライド板２５が商品陳列ケース２８に固着させる。
【００１８】
この実施の形態の場合、供架部材１５は、左及び右側の支持板２４Ｌ及び２４Ｒ間に設けられた補強部材２９Ａ及び２９Ｂによって補強されている。
【００１９】
これにより商品陳列ケース２８は、図４に示す商品陳列棚装置１内に引き込まれた状態から、図５に示す商品陳列棚装置１から前方に引き出されたとき、内側スライド板２５が外側スライド板２６内に収まっている状態から前方にスライドすることにより、商品陳列ケース２８が、商品設置板２７と一体に前方に引き出される状態になるようになされている。
【００２０】
かかる構成に加えて、この実施の形態の場合の商品陳列棚装置１は、図４に示すように、３段の棚構成部８の最上段の天板３０と、当該天板３０の後端部分から上方に突出する背後板３１とが設けられ、これにより背後板３1と天板３０との間にプロモーション用空間９が形成されている。
【００２１】
ここで、プロモーション用空間９は、『特定の商品について、特に他の商品とは区別して、商品の販売促進させるために宣伝を行う』（これを「プロモーション」と呼ぶ）ための部材を配設する空間として用いられる。
【００２２】
そのような部材としては、例えば『当該商品（例えば香水）を著名なサッカー選手も使用していることをイメージさせる画像や、商品のサンプルなど』を意匠的にデザインした構成のものを例示できる。
【００２３】
かくして３段の棚構成部８においては、通常行われる一般的な商品紹介空間としての商品の販売効果を狙った商品のアピールをするのに対して、当該３段の棚構成部８の天板３０の上側にあるプロモーション用空間９において特に販売効果を高めるための商品のアピールを、当該３段の棚構成部８とは意匠効果を際立って異ならせるようなイメージによって提供する。
【００２４】
このようにすればプロモーション用空間９に展開される意匠的効果は、需要者の目を引き付けさせることができ、この分販売効率を高めるような商品陳列をすることができる。
【００２５】
商品陳列ケース２８は、それぞれ、内部に２段の陳列棚３５Ａを有し、前面がアクリル製の前面透明板３５Ｂによって閉塞されていると共に、後面がアクリル製の後面ミラー板３５Ｃによって閉塞され、これにより、商品需要者は２段の陳列棚３５Ａに陳列された商品を前面透明板３５Ｂを透して直接見ることができると共に、後面ミラー板３５Ｃによって鏡映像として見ることができる。
【００２６】
各段の棚構成部８において、商品陳列ケース２８の前面透明板３５Ｂ及び後面ミラー板３５Ｃ間の間隔は、前面透明板３５Ｂと商品陳列棚装置１の背板３６との間隔のほぼ１／２の大きさに選定され、これにより図５に示すように、商品陳列ケース２８が前方に引き出されたとき、商品陳列ケース２８の奥行きとほぼ同じ大きさの空間にストック商品の在庫状態が確認できる商品ストック在庫置場４０を形成している。
【００２７】
以上の構成において、３段の棚構成部８の上部にプロモーション用空間９を設けるようにしたことにより、商品陳列棚装置１の最上段の目につき易い位置に、特に売り出したい商品を効果的に販売促進のために宣伝を行うことができる。
【００２８】
また商品需要者は、図４に示すように、商品陳列棚装置１内に各棚構成部８、従って商品陳列ケース２８が引き込まれた状態において、前面透明板３５Ｂを通して商品陳列ケース２８内の商品を直接に見ることができる。
【００２９】
このとき商品陳列ケース２８内の商品の映像が後面ミラー板３５Ｃによって反射されることにより商品の裏側をも見ることができる。
【００３０】
この実施の形態の場合、商品需要者は見た結果に応じて、商品の１つを購入する場合は、商品ごとに用意されている商品サンプル棚４１のサンプル商品４２を参照しながら、商品紹介カード４３をレジに持参することにより、商品を購入することができる。
【００３１】
商品陳列ケース２８の商品の在庫を確認する場合、当該商品陳列棚装置１の管理者は、各段の棚構成部８について、スライド機構２１の鍵を解錠して（各スライド機構２１には陳列された商品の盗難防止のため鍵が設けられている）、内側スライド板２５を前方にスライドさせることにより、図５に示すように、商品陳列ケース２８の後側に設けられている商品ストック在庫置場４０にあるストック商品の種類、個数を確認しながら、指定された商品を取り出して商品需要者に手渡す。
【００３２】
このときストック商品に不足があれば、管理者は不足分の商品を補充することにより、商品陳列棚装置１には各段の商品陳列ケース２８の後側部分に常時重量物を置くことになるので、全体として前傾するおそれを防止できる。
【００３３】
これに加えて、各段の棚構成部８の商品陳列ケース２８の後側にストック商品を分散させるように保持させたことにより、ストック商品を在庫させるための棚を特設する必要性をなくし得る。
【００３４】
因みに、従来は、ストック商品を在庫させるための棚を、棚構成部８の棚と並べて、前方から開閉できる扉をつけて設けるようにしていたが、この扉をつけた分、商品需要者が商品を観察できる表面の面積を小さくするため、商品の展示効果が悪くなっていたが、この実施の形態のようにしたことにより、この問題を有効に解決できる。
【産業上の利用可能性】
【００３５】
店頭に並べる商品陳列棚に適用できる。
【符号の説明】
【００３６】
１……商品陳列棚装置、３……基部、４……支持具、７Ｌ、７Ｒ……スリットパイプ、８……棚構成部、９……プロモーション用空間、１０……結合具、１２……巾木部材、１５……供架部材、２２……スリット、２３……突起、２４Ｌ、２４Ｒ……支持板、２５……内側スライド板、２６……外側スライド板、２７……商品設置板、２８……商品陳列ケース、３０……天板、３１……背後板、３５Ａ……陳列棚、３５Ｂ……前面透明板、３５Ｃ……後面ミラー板、４１……商品サンプル棚、４２……サンプル商品、４３……商品紹介カード。
【図１】
0003209823.tif 000003
【図２】
0003209823.tif 000004
【図３】
0003209823.tif 000005
【図４】
0003209823.tif 000006
【図５】
0003209823.tif 000007